(57)【要約】  【課題】  マナーモードが解除されるべきでない場合にはより解除され難く、マナーモードを解除したい場合にはより解除し易い携帯電話機を提供する。  【解決手段】  所定の電話番号から呼び出しがあると（Ｓ２００：ＹＥＳ、Ｓ２０１：ＹＥＳ）、その電話番号からの呼び出し回数が５回か確認する。呼び出し回数が５回に満たず（Ｓ２０２：ＮＯ）、かつ、呼び出し時間が５秒以下なら（Ｓ２０３：ＹＥＳ）、呼び出し回数を１だけ増加させて（Ｓ２０４）、記憶する（Ｓ２０５）。呼び出し回数が５回であり（Ｓ２０２：ＹＥＳ）、かつ、呼び出し時間が２５秒以上なら（Ｓ２０７：ＹＥＳ）、動作モードを保護モードに変更して（Ｓ２０８）、ＬＥＤを点滅させたり、呼び出し音を鳴らす等の報知処理を実行する（Ｓ２０９）。  【選択図】  図３
2005033590.tif 000002
【特許請求の範囲】
【請求項１】
マナーモード、および、マナーモード以外の動作モードで動作する携帯電話機であって、
電話番号を記憶する電話番号記憶手段と、
同一の電話番号からの複数の着呼について、呼び出し時間の長さと順序とからなる着呼パターンを記憶する着呼パターン記憶手段と、
前記電話番号記憶手段にて記憶されている電話番号から、前記着呼パターン記憶手段にて記憶されている着呼パターンにて着呼があったか否かを判定する着呼パターン判定手段と、
現在の動作モードがマナーモードであるか否かを判定する動作モード判定手段と、
前記着呼パターン判定手段にて前記電話番号から前記着呼パターンにて着呼があったと判定され、かつ、前記動作モード判定手段にてマナーモードであると判定された場合に、動作モードをマナーモード以外の動作モードとする動作モード変更手段と
を備えることを特徴とする携帯電話機。
【請求項２】
マナーモード、および、マナーモード以外の動作モードで動作する携帯電話機であって、
電話回線以外の無線通信手段と、
動作モードをマナーモード以外の動作モードとすることを要求する動作モード変更要求を、前記無線通信手段にて受け付ける要求受付手段と、
前記要求受付手段にて前記動作モード変更要求を受け付けた場合に、動作モードをマナーモード以外の動作モードとする動作モード変更手段と
を備えることを特徴とする携帯電話機。
【請求項３】
前記動作モード変更手段にて動作モードをマナーモード以外の動作モードとする際に、知覚可能な物理的信号を発する報知手段
を備えることを特徴とする請求項１または請求項２に記載の携帯電話機。
【請求項４】
前記報知手段は、光、音声若しくは振動またはこれらの組み合わせによって前記物理的信号を発する
ことを特徴とする請求項３に記載の携帯電話機。
【請求項５】
前記マナーモード以外の動作モードとして、所定の認証を経なければ操作を禁止する保護モードを有し、
前記動作モード変更手段は、前記マナーモードから前記保護モードへと動作モードを変更する
ことを特徴とする請求項１から請求項４のいずれかに記載の携帯電話機。
【請求項６】
暗証番号を受け付ける暗証番号受け付け手段と、
前記暗証番号と照合するための参照番号を記憶する参照番号記憶手段と、
前記暗証番号と前記参照番号とを照合する照合手段と、
前記照合手段にて前記暗証番号が前記参照番号に一致すると判定された場合に、動作モードを前記保護モードから前記保護モード以外の動作モードに変更する保護モード解除手段と
を備えることを特徴とする請求項５に記載の携帯電話機。
【請求項７】
前記着呼パターンは、呼び出し時間の異なる着呼の組み合わせになる
ことを特徴とする請求項１に記載の携帯電話機。
【請求項８】
マナーモード、および、マナーモード以外の動作モードで動作する携帯電話機にて実行されるマナーモード解除方法であって、
電話番号を記憶する電話番号記憶ステップと、
同一の電話番号からの複数の着呼について、呼び出し時間の長さと順序とからなる着呼パターンを記憶する着呼パターン記憶ステップと、
前記電話番号記憶ステップにて記憶されている電話番号から、前記着呼パターン記憶ステップにて記憶されている着呼パターンにて着呼があったか否かを判定する着呼パターン判定ステップと、
現在の動作モードがマナーモードであるか否かを判定する動作モード判定ステップと、
前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップと
を含むことを特徴とするマナーモード解除方法。
【請求項９】
電話回線以外の無線通信手段を備え、マナーモード、および、マナーモード以外の動作モードで動作する携帯電話機にて実行されるマナーモード解除方法であって、
動作モードをマナーモード以外の動作モードとすることを要求する動作モード変更要求を、前記無線通信手段にて受け付ける要求受付ステップと、
前記要求受付ステップにて前記動作モード変更要求を受け付けた場合に、動作モードをマナーモード以外の動作モードとする動作モード変更ステップと
を含むことを特徴とするマナーモード解除方法。
【請求項１０】
前記動作モード変更ステップにて動作モードをマナーモード以外の動作モードとする際に、知覚可能な物理的信号を発する報知ステップ
を備えることを特徴とする請求項８または請求項９に記載のマナーモード解除方法。
【請求項１１】
前記報知ステップにて、光、音声若しくは振動またはこれらの組み合わせによって前記物理的信号を発する
ことを特徴とする請求項１０に記載のマナーモード解除方法。
【請求項１２】
前記携帯電話機は、前記マナーモード以外の動作モードとして、所定の認証を経なければ操作を禁止する保護モードを有し、
前記動作モード変更ステップは、前記マナーモードから前記保護モードへと動作モードを変更する
ことを特徴とする請求項８から請求項１１のいずれかに記載のマナーモード解除方法。
【請求項１３】
暗証番号を受け付ける暗証番号受け付けステップと、
前記暗証番号と照合するための参照番号を記憶する参照番号記憶ステップと、
前記暗証番号と前記参照番号とを照合する照合ステップと、
前記照合ステップにて前記暗証番号が前記参照番号に一致すると判定された場合に、動作モードを前記保護モードから前記保護モード以外の動作モードに変更する保護モード解除ステップと
を含むことを特徴とする請求項１２に記載のマナーモード解除方法。
【請求項１４】
前記着呼パターンは、呼び出し時間の異なる着呼の組み合わせになる
ことを特徴とする請求項８に記載のマナーモード解除方法。
【請求項１５】
マナーモード、および、マナーモード以外の動作モードで動作する携帯電話機にて実行されるマナーモード解除プログラムであって、
電話番号を記憶する電話番号記憶ステップと、
同一の電話番号からの複数の着呼について、呼び出し時間の長さと順序とからなる着呼パターンを記憶する着呼パターン記憶ステップと、
前記電話番号記憶ステップにて記憶されている電話番号から、前記着呼パターン記憶ステップにて記憶されている着呼パターンにて着呼があったか否かを判定する着呼パターン判定ステップと、
現在の動作モードがマナーモードであるか否かを判定する動作モード判定ステップと、
前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップと
を前記携帯電話機に実行させることを特徴とするマナーモード解除プログラム。
【請求項１６】
電話回線以外の無線通信手段を備え、マナーモード、および、マナーモード以外の動作モードで動作する携帯電話機にて実行されるマナーモード解除プログラムであって、
動作モードをマナーモード以外の動作モードとすることを要求する動作モード変更要求を、前記無線通信手段にて受け付ける要求受付ステップと、
前記要求受付ステップにて前記動作モード変更要求を受け付けた場合に、動作モードをマナーモード以外の動作モードとする動作モード変更ステップと
を前記携帯電話機に実行させることを特徴とするマナーモード解除プログラム。
【請求項１７】
前記動作モード変更ステップにて動作モードをマナーモード以外の動作モードとする際に、知覚可能な物理的信号を発する報知ステップ
を前記携帯電話機に実行させることを特徴とする請求項１５または請求項１６に記載のマナーモード解除プログラム。
【請求項１８】
前記報知ステップにて、光、音声若しくは振動またはこれらの組み合わせによって前記物理的信号を発する
ことを特徴とする請求項１７に記載のマナーモード解除プログラム。
【請求項１９】
前記携帯電話機は、前記マナーモード以外の動作モードとして、所定の認証を経なければ操作を禁止する保護モードを有し、
前記動作モード変更ステップは、前記マナーモードから前記保護モードへと動作モードを変更する
ことを特徴とする請求項１５から請求項１８のいずれかに記載のマナーモード解除プログラム。
【請求項２０】
暗証番号を受け付ける暗証番号受け付けステップと、
前記暗証番号と照合するための参照番号を記憶する参照番号記憶ステップと、
前記暗証番号と前記参照番号とを照合する照合ステップと、
前記照合ステップにて前記暗証番号が前記参照番号に一致すると判定された場合に、動作モードを前記保護モードから前記保護モード以外の動作モードに変更する保護モード解除ステップと
を前記携帯電話機に実行させることを特徴とする請求項１９に記載のマナーモード解除プログラム。
【請求項２１】
前記着呼パターンは、呼び出し時間の異なる着呼の組み合わせになる
ことを特徴とする請求項１５に記載のマナーモード解除プログラム。
【発明の詳細な説明】
【技術分野】
【０００１】
本願発明は、携帯電話機に関し、特に、紛失した携帯電話機を発見し易くするための技術に関する。
【背景技術】
【０００２】
近年、携帯電話機が広く普及し、いまやあらゆる場所で携帯電話機が使用されるに至っている。その結果、元来、携帯電話機が使用されるべきではない場所、すなわち、病院や公共交通機関、劇場といった場所にまで携帯電話機が持ち込まれて、医療器具の誤動作を招いたり、観劇の妨げとなったりと様々な不都合を来たすようになってきた。
【０００３】
さりながら、そのような不都合があっても、携帯電話機の普及の度合いは著しく、また、その利便を考慮すれば、かかる場所への携帯電話機の持ち込みを今更、禁止することもできない。
【０００４】
そこで、使用をされるのに相応しくない場所においては、携帯電話機の使用を差し控えることができるように、マナーモード機能が導入された。このマナーモードに携帯電話機を設定すれば、マナーモードに設定された携帯電話機には着信があっても着信音が鳴らないので、上記のような不都合を生じない。
【０００５】
さて、携帯電話機に利便性をもたらしている最大要因のひとつは、その名の通り携帯性に有る。この携帯性は携帯電話機の間でも大きなセールスポイントとなっており、携帯電話機は小型軽量化される一方である。
【０００６】
小型軽量化された携帯電話機は、確かに持ち運びには便利である。しかしながら、一旦、携帯電話機を紛失してしまうと探し出すが大変で、これには誰もが閉口している。特に、携帯電話機がマナーモードに設定されているようなときには、その携帯電話機は、音も光も出さず完全に沈黙してしまうので、その発見は困難を極める。
【０００７】
このような問題に対して、次のような解決策が提案されている。
【０００８】
すなわち、マナーモードに設定されたまま紛失した携帯電話機に電話をかけることによってマナーモードを解除して、携帯電話機を鳴動、発光させ、携帯電話機の発見を助けるというものである。
【０００９】
この場合において、ただ単に電話がかかってくるだけでマナーモードを解除するとしてしまうと、マナーモード本来の機能が損なわれてしまう。そこで、従来技術においては、所定のコール回数の呼び出しが連続して所定回数だけ検出された場合に、マナーモードを解除するとしている（詳細については、特許文献１を参照。）。
【特許文献１】特開２００２―１２５００９号公報
【発明の開示】
【発明が解決しようとする課題】
【００１０】
しかしながら、例えば、コール回数が１０回の呼び出しが１回検出された場合にマナーモードを解除すると設定すると、本来マナーモードに設定されていなければならないような場所で、たまたまそのような呼び出しが行われ、マナーモードが解除されてしまい、顰蹙を買ってしまうおそれがある。
【００１１】
また、上述したような事態をおそれて、コール回数１００回の呼び出しが１００回検出された場合にマナーモードを解除すると設定すると、携帯電話機を紛失して本当にマナーモードを解除したいような場合に、多大の手間を生じる結果となる。
【００１２】
本願発明は、上述のような問題に鑑みてなされたものであって、マナーモードが解除されるべきでない場合にはより解除され難く、マナーモードを解除したい場合にはより解除し易い携帯電話機、マナーモード解除方法、および、マナーモード解除プログラムを提供することを目的とする。
【課題を解決するための手段】
【００１３】
上記目的を達成するため、本願発明に係る携帯電話機は、マナーモード、および、マナーモード以外の動作モードで動作する携帯電話機であって、電話番号を記憶する電話番号記憶手段と、同一の電話番号からの複数の着呼について、呼び出し時間の長さと順序とからなる着呼パターンを記憶する着呼パターン記憶手段と、前記電話番号記憶手段にて記憶されている電話番号から、前記着呼パターン記憶手段にて記憶されている着呼パターンにて着呼があったか否かを判定する着呼パターン判定手段と、現在の動作モードがマナーモードであるか否かを判定する動作モード判定手段と、前記着呼パターン判定手段にて前記電話番号から前記着呼パターンにて着呼があったと判定され、かつ、前記動作モード判定手段にてマナーモードであると判定された場合に、動作モードをマナーモード以外の動作モードとする動作モード変更手段とを備えることを特徴とする。
【００１４】
また、本願発明に係る携帯電話機は、マナーモード、および、マナーモード以外の動作モードで動作する携帯電話機であって、電話回線以外の無線通信手段と、動作モードをマナーモード以外の動作モードとすることを要求する動作モード変更要求を、前記無線通信手段にて受け付ける要求受付手段と、前記要求受付手段にて前記動作モード変更要求を受け付けた場合に、動作モードをマナーモード以外の動作モードとする動作モード変更手段とを備えることを特徴とする。
【００１５】
また、本願発明に係るマナーモード解除方法は、マナーモード、および、マナーモード以外の動作モードで動作する携帯電話機にて実行されるマナーモード解除方法であって、電話番号を記憶する電話番号記憶ステップと、同一の電話番号からの複数の着呼について、呼び出し時間の長さと順序とからなる着呼パターンを記憶する着呼パターン記憶ステップと、前記電話番号記憶ステップにて記憶されている電話番号から、前記着呼パターン記憶ステップにて記憶されている着呼パターンにて着呼があったか否かを判定する着呼パターン判定ステップと、現在の動作モードがマナーモードであるか否かを判定する動作モード判定ステップと、前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップとを含むことを特徴とする。
【００１６】
また、本願発明に係るマナーモード解除方法は、電話回線以外の無線通信手段を備え、マナーモード、および、マナーモード以外の動作モードで動作する携帯電話機にて実行されるマナーモード解除方法であって、動作モードをマナーモード以外の動作モードとすることを要求する動作モード変更要求を、前記無線通信手段にて受け付ける要求受付ステップと、前記要求受付ステップにて前記動作モード変更要求を受け付けた場合に、動作モードをマナーモード以外の動作モードとする動作モード変更ステップとを含むことを特徴とする。
【００１７】
また、本願発明に係るマナーモード解除プログラムは、マナーモード、および、マナーモード以外の動作モードで動作する携帯電話機にて実行されるマナーモード解除プログラムであって、電話番号を記憶する電話番号記憶ステップと、同一の電話番号からの複数の着呼について、呼び出し時間の長さと順序とからなる着呼パターンを記憶する着呼パターン記憶ステップと、前記電話番号記憶ステップにて記憶されている電話番号から、前記着呼パターン記憶ステップにて記憶されている着呼パターンにて着呼があったか否かを判定する着呼パターン判定ステップと、現在の動作モードがマナーモードであるか否かを判定する動作モード判定ステップと、前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップとを前記携帯電話機に実行させることを特徴とする。
【００１８】
また、本願発明に係るマナーモード解除プログラムは、電話回線以外の無線通信手段を備え、マナーモード、および、マナーモード以外の動作モードで動作する携帯電話機にて実行されるマナーモード解除プログラムであって、動作モードをマナーモード以外の動作モードとすることを要求する動作モード変更要求を、前記無線通信手段にて受け付ける要求受付ステップと、前記要求受付ステップにて前記動作モード変更要求を受け付けた場合に、動作モードをマナーモード以外の動作モードとする動作モード変更ステップとを前記携帯電話機に実行させることを特徴とする。
【発明の効果】
【００１９】
本願発明に係る携帯電話機は、マナーモード、および、マナーモード以外の動作モードで動作する携帯電話機であって、電話番号を記憶する電話番号記憶手段と、同一の電話番号からの複数の着呼について、呼び出し時間の長さと順序とからなる着呼パターンを記憶する着呼パターン記憶手段と、前記電話番号記憶手段にて記憶されている電話番号から、前記着呼パターン記憶手段にて記憶されている着呼パターンにて着呼があったか否かを判定する着呼パターン判定手段と、現在の動作モードがマナーモードであるか否かを判定する動作モード判定手段と、前記着呼パターン判定手段にて前記電話番号から前記着呼パターンにて着呼があったと判定され、かつ、前記動作モード判定手段にてマナーモードであると判定された場合に、動作モードをマナーモード以外の動作モードとする動作モード変更手段とを備えることを特徴とするので、マナーモードが解除されるべきでない場合にはより解除され難く、マナーモードを解除したい場合にはより解除し易くすることができる。
【００２０】
また、本願発明に係る携帯電話機は、マナーモード、および、マナーモード以外の動作モードで動作する携帯電話機であって、電話回線以外の無線通信手段と、動作モードをマナーモード以外の動作モードとすることを要求する動作モード変更要求を、前記無線通信手段にて受け付ける要求受付手段と、前記要求受付手段にて前記動作モード変更要求を受け付けた場合に、動作モードをマナーモード以外の動作モードとする動作モード変更手段とを備えることを特徴とするので、マナーモードが解除されるべきでない場合には解除されず、マナーモードを解除したい場合には容易に解除することができる。
【００２１】
また、本願発明に係る携帯電話機は、前記動作モード変更手段にて動作モードをマナーモード以外の動作モードとする際に、知覚可能な物理的信号を発する報知手段を備えることを特徴とするので、紛失した携帯電話機の発見を助けることができる。
【００２２】
この場合において、例えば、本願発明に係る携帯電話機は、前記報知手段は、光、音声若しくは振動またはこれらの組み合わせによって前記物理的信号を発することを特徴とするので、紛失した携帯電話機の発見を容易にすることができる。
【００２３】
また、本願発明に係る携帯電話機は、前記マナーモード以外の動作モードとして、所定の認証を経なければ操作を禁止する保護モードを有し、前記動作モード変更手段は、前記マナーモードから前記保護モードへと動作モードを変更することを特徴とするので、紛失した携帯電話機が先んじて他人に発見されてしまった場合であっても、当該携帯電話機がその他人に不正に利用されることを防止することができる。
【００２４】
この場合において、例えば、本願発明に係る携帯電話機は、暗証番号を受け付ける暗証番号受け付け手段と、前記暗証番号と照合するための参照番号を記憶する参照番号記憶手段と、前記暗証番号と前記参照番号とを照合する照合手段と、前記照合手段にて前記暗証番号が前記参照番号に一致すると判定された場合に、動作モードを前記保護モードから前記保護モード以外の動作モードに変更する保護モード解除手段とを備えることを特徴とすれば、当該携帯電話機が他人に不正に利用されるのを防止することができるので、好適である。
【００２５】
また、本願発明に係る携帯電話機は、前記着呼パターンが、呼び出し時間の異なる着呼の組み合わせになることを特徴とするので、マナーモードが解除されるべきでない場合にはより解除され難く、携帯電話機のユーザがマナーモードを解除したい場合にはより解除し易すくすることができる。
【００２６】
また、本願発明に係るマナーモード解除方法は、マナーモード、および、マナーモード以外の動作モードで動作する携帯電話機にて実行されるマナーモード解除方法であって、電話番号を記憶する電話番号記憶ステップと、同一の電話番号からの複数の着呼について、呼び出し時間の長さと順序とからなる着呼パターンを記憶する着呼パターン記憶ステップと、前記電話番号記憶ステップにて記憶されている電話番号から、前記着呼パターン記憶ステップにて記憶されている着呼パターンにて着呼があったか否かを判定する着呼パターン判定ステップと、現在の動作モードがマナーモードであるか否かを判定する動作モード判定ステップと、前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップとを含むことを特徴とするので、マナーモードが解除されるべきでない場合にはより解除され難く、マナーモードを解除したい場合にはより解除し易くすることができる。
【００２７】
また、本願発明に係るマナーモード解除方法は、電話回線以外の無線通信手段を備え、マナーモード、および、マナーモード以外の動作モードで動作する携帯電話機にて実行されるマナーモード解除方法であって、動作モードをマナーモード以外の動作モードとすることを要求する動作モード変更要求を、前記無線通信手段にて受け付ける要求受付ステップと、前記要求受付ステップにて前記動作モード変更要求を受け付けた場合に、動作モードをマナーモード以外の動作モードとする動作モード変更ステップとを含むことを特徴とするので、マナーモードが解除されるべきでない場合には解除されず、マナーモードを解除したい場合には容易に解除することができる。
【００２８】
また、本願発明に係るマナーモード解除方法は、前記動作モード変更ステップにて動作モードをマナーモード以外の動作モードとする際に、知覚可能な物理的信号を発する報知ステップを備えることを特徴とするので、携帯電話機のユーザが紛失した携帯電話機を発見するのを助けることができる。
【００２９】
また、本願発明に係るマナーモード解除方法は、前記報知ステップにて、光、音声若しくは振動またはこれらの組み合わせによって前記物理的信号を発することを特徴とするので、紛失した携帯電話機の発見を容易にすることができる。
【００３０】
また、本願発明に係るマナーモード解除方法は、前記携帯電話機は、前記マナーモード以外の動作モードとして、所定の認証を経なければ操作を禁止する保護モードを有し、前記動作モード変更ステップは、前記マナーモードから前記保護モードへと動作モードを変更することを特徴とするので、紛失した携帯電話機が携帯電話機の正当な利用者に先んじて他人に発見されてしまった場合であっても、当該携帯電話機がその他人に不正に利用されることを防止することができる。
【００３１】
また、本願発明に係るマナーモード解除方法は、暗証番号を受け付ける暗証番号受け付けステップと、前記暗証番号と照合するための参照番号を記憶する参照番号記憶ステップと、前記暗証番号と前記参照番号とを照合する照合ステップと、前記照合ステップにて前記暗証番号が前記参照番号に一致すると判定された場合に、動作モードを前記保護モードから前記保護モード以外の動作モードに変更する保護モード解除ステップとを含むことを特徴とするので、当該携帯電話機が他人に不正に利用されるのを防止することができるので、好適である。
【００３２】
また、本願発明に係るマナーモード解除方法は、前記着呼パターンが、呼び出し時間の異なる着呼の組み合わせになることを特徴とするので、マナーモードが解除されるべきでない場合にはより解除され難く、マナーモードを解除したい場合にはより解除し易すくすることができる。
【００３３】
また、本願発明に係るマナーモード解除プログラムは、マナーモード、および、マナーモード以外の動作モードで動作する携帯電話機にて実行されるマナーモード解除プログラムであって、電話番号を記憶する電話番号記憶ステップと、同一の電話番号からの複数の着呼について、呼び出し時間の長さと順序とからなる着呼パターンを記憶する着呼パターン記憶ステップと、前記電話番号記憶ステップにて記憶されている電話番号から、前記着呼パターン記憶ステップにて記憶されている着呼パターンにて着呼があったか否かを判定する着呼パターン判定ステップと、現在の動作モードがマナーモードであるか否かを判定する動作モード判定ステップと、前記着呼パターン判定ステップにて前記電話番号から前記着呼パターンにて着呼があったと判定され、かつ、前記動作モード判定ステップにてマナーモードであると判定された場合に、動作モードをマナーモード以外の動作モードとする動作モード変更ステップとを前記携帯電話機に実行させることを特徴とするので、マナーモードが解除されるべきでない場合にはより解除され難く、マナーモードを解除したい場合にはより解除し易くすることができる。
【００３４】
また、本願発明に係るマナーモード解除プログラムは、電話回線以外の無線通信手段を備え、マナーモード、および、マナーモード以外の動作モードで動作する携帯電話機にて実行されるマナーモード解除プログラムであって、動作モードをマナーモード以外の動作モードとすることを要求する動作モード変更要求を、前記無線通信手段にて受け付ける要求受付ステップと、前記要求受付ステップにて前記動作モード変更要求を受け付けた場合に、動作モードをマナーモード以外の動作モードとする動作モード変更ステップとを前記携帯電話機に実行させることを特徴とするので、マナーモードが解除されるべきでない場合には解除されず、マナーモードを解除したい場合には容易に解除することができる。
【００３５】
また、本願発明に係るマナーモード解除プログラムは、前記動作モード変更ステップにて動作モードをマナーモード以外の動作モードとする際に、知覚可能な物理的信号を発する報知ステップを前記携帯電話機に実行させることを特徴とするので、紛失した携帯電話機の発見を助けることができる。
【００３６】
また、本願発明に係るマナーモード解除プログラムは、前記報知ステップにて、光、音声若しくは振動またはこれらの組み合わせによって前記物理的信号を発することを特徴とするので、紛失した携帯電話機の発見を容易にすることができる。
【００３７】
また、本願発明に係るマナーモード解除プログラムは、前記携帯電話機は、前記マナーモード以外の動作モードとして、所定の認証を経なければ操作を禁止する保護モードを有し、前記動作モード変更ステップは、前記マナーモードから前記保護モードへと動作モードを変更することを特徴とするので、紛失した携帯電話機が携帯電話機の正当ユーザに先んじて他人に発見されてしまった場合であっても、当該携帯電話機がその他人に不正に利用されることを防止することができる。
【００３８】
また、本願発明に係るマナーモード解除プログラムは、暗証番号を受け付ける暗証番号受け付けステップと、前記暗証番号と照合するための参照番号を記憶する参照番号記憶ステップと、前記暗証番号と前記参照番号とを照合する照合ステップと、前記照合ステップにて前記暗証番号が前記参照番号に一致すると判定された場合に、動作モードを前記保護モードから前記保護モード以外の動作モードに変更する保護モード解除ステップとを前記携帯電話機に実行させることを特徴とするので、当該携帯電話機が他人に不正に利用されるのを防止することができるので、好適である。
【００３９】
また、本願発明に係るマナーモード解除プログラムは、前記着呼パターンが、呼び出し時間の異なる着呼の組み合わせになることを特徴とするので、マナーモードが解除されるべきでない場合にはより解除され難く、マナーモードを解除したい場合にはより解除し易すくすることができる。
【発明を実施するための最良の形態】
【００４０】
以下、本願発明に係る携帯電話機、マナーモード解除方法、および、マナーモード解除プログラムについて、携帯電話機を例にとり、図面を参照しながら説明する。
【００４１】
［１］  携帯電話機の構成
図１は、本願発明の実施の形態に係る携帯電話機の機能構成を示す模式図であって、特に、マナーモードの設定と解除とに関連する部分に注目したものである。
【００４２】
図１に示されるように、携帯電話機１は、表示部１００、操作パネル部１０１、電話番号記憶部１０２、モード記憶部１０３、スピーカ部１０４、ＬＥＤ点灯部１０５、バイブレータ部１０６、発呼番号特定部１０７、呼び出し時間計時部１０８、呼び出し回数記憶部１０９、保護部１１０、および、モード制御部１１１を備えている。
【００４３】
表示部１００は、液晶表示パネルを備えている。表示部１００は、携帯電話機1のユーザに対して、様々な情報の表示を行う機能ブロックである。表示部１００は、後述する操作パネル部１０１からの指示に応じて様々な表示を実行する。
【００４４】
操作パネル部１０１は、キーパッドを備えている。操作パネル部１０１は、携帯電話機１のユーザによるキー入力を受け付ける機能ブロックである。操作パネル部１０１は、携帯電話機１のユーザによるキー入力に応じて、前記表示部１００や後述する電話番号記憶部１０２、モード記憶部１０９、および、モード制御部１１０に指示を行う。
【００４５】
電話番号記憶部１０２は、マナーモードを解除するための指示を送るための発呼番号を記憶するための機能ブロックである。電話番号記憶部１０２は、操作パネル部１０１から電話番号を受け付けて、これを記憶する。また、モード制御部１１０から記憶している電話番号を読み出しを受け付ける。
【００４６】
スピーカ部１０３は、携帯電話機１のユーザに対して、様々な音声出力を実行する機能ブロックであって、特に、呼び出し音の出力を行う機能ブロックである。スピーカ部１０３は、モード制御部１１０からの指示を受け付けて、動作する。
【００４７】
ＬＥＤ点灯部１０４は、携帯電話機１のユーザに対して、ＬＥＤを点滅させることによって、新たな着信を報知したりする機能ブロックである。ＬＥＤ点灯部１０４は、モード制御部１１０からの指示を受け付けて、動作する。
【００４８】
バイブレータ部１０５は、携帯電話機１のユーザに対して、携帯電話機１そのものを振動させることによって、新たな着信を報知したりする機能ブロックである。バイブレータ部１０５は、モード制御部１１０からの指示を受け付けて、動作する。
【００４９】
発呼番号特定部１０６は、着呼時に、その呼の発信元の電話機の電話番号を特定する機能ブロックである。発呼番号特定部１０６は、着呼時に動作を開始し、特定した電話番号を、呼び出し時間計時部１０７やモード制御部１１０に通知する。
【００５０】
呼び出し時間計時部１０７は、着呼時に、その呼に係る呼び出し時間を計時する機能ブロックである。呼び出し時間計時部１０７は、発呼番号特定部１０６から通知を受けてから、呼び出しが終了するまでの時間を計時する。呼び出し時間計時部１０７は、計時して得た呼び出し時間をモード制御部１１０に通知する。
【００５１】
呼び出し回数記憶部１０８は、電話番号記憶部１０２に記憶されている電話番号に係る電話機を発信元とする呼び出しの回数を記憶する機能ブロックである。呼び出し回数記憶部１０８は、モード制御部１１０からの指示を受け付けて、発信元の電話番号ごとに呼び出し回数を記憶する。また、呼び出し回数記憶部１０８は、モード制御部１１０から呼び出し回数の読み出しを受け付ける。
【００５２】
モード記憶部１０９は、携帯電話機１の現在の動作モードを記憶する機能ブロックである。モード記憶部１０９はモード制御部１１０から指示を受け付けて、携帯電話機１の現在の動作モードを記憶する。モード記憶部１０９は、携帯電話機１の現在の動作モードの読み出しを、操作パネル部１０１とモード制御部１１０とから受け付ける。
【００５３】
モード記憶部１０９が記憶する動作モードは次の３種類である。すなわち、携帯電話機１が、通常モード、マナーモード、および、保護モードのいずれの動作モードにあるかをモード記憶部１０９は記憶する。
【００５４】
通常モードは、着呼時に、携帯電話機１のユーザに対して、通常の呼び出しを実行する動作モードである。マナーモードは、着呼時に、携帯電話機１のユーザに対して、呼び出しを実行しない動作モードである。
【００５５】
また、保護モードとは、携帯電話機１のユーザが操作パネル部１０１に対して何らかの操作を行った場合に、暗証番号を要求して、認証に成功したときのみ、ユーザに携帯電話機１の操作を許すという動作モードである。
【００５６】
モード制御部１１０は、マナーモードを遠隔操作にて解除する際の諸動作を統括する機能ブロックである。モード制御部１１０は、表示部１００、操作パネル部１０１、電話番号記憶部１０２、スピーカ部１０３、ＬＥＤ点灯部１０４、バイブレータ部１０５、発呼番号特定部１０６、呼び出し時間計時部１０７、呼び出し回数記憶部１０８、および、モード記憶部１０９と協調して、マナーモードの遠隔解除を実行する。
【００５７】
［２］  携帯電話機の動作
次に、携帯電話機１の動作について、図面を参照しながら説明する。
【００５８】
［２−１］  電話番号の設定動作について
まず、携帯電話機１がマナーモードとなっている場合に、これを遠隔から解除するために用いる電話機の電話番号を、携帯電話機１に設定するための処理について説明する。図２は、携帯電話機１が電話番号の設定を受け付ける際に実行する処理の流れを示すフローチャートである。
【００５９】
図２に示されるように、携帯電話機１は、遠隔操作によってマナーモードを解除することを許す電話機の電話番号の設定を、操作パネル部１０１にて受け付ける。
【００６０】
携帯電話機１は、先ず、操作パネル部１０１にて、表示部１００を用いて、メニュー画面を表示する（ステップＳ１００）。携帯電話機１のユーザは、当該メニュー画面において所望のメニューを選択して、パラメータの設定や変更等を実行する。
【００６１】
さて、携帯電話機１は、操作パネル部１０１にて、電話番号を設定する旨のメニューが選択されると（ステップＳ１０１：ＹＥＳ）、ユーザに電話番号を入力させるための入力画面が表示される（ステップＳ１０２）。
【００６２】
携帯電話機１は、当該入力画面において、電話番号の入力が完了したか否かを監視し、電話番号の入力が完了していなければ（ステップＳ１０３：ＮＯ）、電話番号の入力が完了したか否かの監視を更に継続する。電話番号の入力が完了したことを確認したら（ステップＳ１０３：ＹＥＳ）、携帯電話機１は、入力された電話番号を電話番号記憶部１０２にて記憶して（ステップＳ１０４）、処理を終了する。
【００６３】
前記メニュー画面にて、電話番号の設定以外のメニューが選択された場合には（ステップＳ１０１：ＮＯ）、携帯電話機１は、選択されたメニューに応じた処理を実行して（ステップＳ１０５）、処理を終了する。なお、ステップＳ１０５の処理については、本願発明の説明に必要がないので割愛する。
【００６４】
［２−２］  マナーモードの遠隔解除について
次に、携帯電話機１がマナーモードに設定されている場合に、これを遠隔操作で解除する際に、携帯電話機１が実行する動作について説明する。
【００６５】
本実施の形態においては、電話番号記憶部１０２に記憶されている同一の電話番号から、呼び出し時間が５秒以内である着呼が続けて５回あった後に、当該電話番号から呼び出し時間が２５秒以上である着呼が１回あった場合にマナーモードを解除する例について説明する。
【００６６】
図３は、携帯電話機１が遠隔操作によってマナーモードを解除される際に実行する処理の流れを示すフローチャートである。図３に示されるように、携帯電話機１は、先ず、着呼があったか否かを確認する。この確認の結果、着呼は無かったと判定された場合には（ステップＳ２００：ＮＯ）、携帯電話機１は、着呼があったか否かの確認を継続する。
【００６７】
前記の確認の結果、着呼があったと判定された場合には（ステップＳ２００：ＹＥＳ）、携帯電話機１は、その着呼が、前述の電話番号記憶部１０２に記憶されている電話番号のうちのいずれかから発呼されたものであるか否かを確認する。
【００６８】
この確認の結果、前記の着呼が、前述の電話番号記憶部１０２に記憶されている電話番号のうちのいずれかから発呼されたものではないと判定された場合には（ステップＳ２０１：ＮＯ）、携帯電話機１は、着呼があったか否かの確認を継続する。
【００６９】
また、前述の確認の結果、前記の着呼が、前述の電話番号記憶部１０２に記憶されている電話番号のうちのいずれかから発呼されたものであると判定された場合には（ステップＳ２０１：ＹＥＳ）、携帯電話機１は、当該着呼に係る発呼をした電話機の電話番号について呼び出し回数が５回以上であるか否かを確認する。
【００７０】
そして、当該呼び出し回数が５回に満たないと判定された場合には（ステップＳ２０２：ＮＯ）、携帯電話機１は、当該着呼に係る呼び出し時間が５秒以下であるか否かを確認する。
【００７１】
そして、当該着呼に係る呼び出し時間が５秒以下でないと判定された場合には（ステップＳ２０３：ＮＯ）、携帯電話機１は、当該着呼に係る電話番号に対応する呼び出し回数を０回とする（ステップＳ２０６）。そして、携帯電話機１は、０回とした前記呼び出し回数を、前記呼び出し回数記憶部１０８にて記憶した後（ステップＳ２０５）、上述のような処理を繰り返す。
【００７２】
前記の確認の結果、前記着呼に係る呼び出し時間が５秒以下であると判定された場合には（ステップＳ２０３：ＹＥＳ）、携帯電話機１は、当該着呼に係る電話番号に対応する呼び出し回数を１だけ増加させる（ステップＳ２０４）。そして、携帯電話機１は、１だけ増加させた前記呼び出し回数を、前記呼び出し回数記憶部１０８にて記憶した後（ステップＳ２０５）、上述のような処理を繰り返す。
【００７３】
さて、前記呼び出し回数が５回以上であると判定された場合には（ステップＳ２０２：ＹＥＳ）、携帯電話機１は、当該着呼に係る呼び出し時間が２５秒以上であるか否かを確認する。
【００７４】
そして、前記着呼に係る呼び出し時間が２５秒に満たないと判断された場合には（ステップＳ２０７：ＮＯ）、携帯電話機１は、当該着呼に係る電話番号に対応する呼び出し回数を０回とする（ステップＳ２０６）。そして、携帯電話機１は、０回とした前記呼び出し回数を、前記呼び出し回数記憶部１０８にて記憶した後（ステップＳ２０５）、上述のような処理を繰り返す。
【００７５】
前記着呼に係る呼び出し時間が２５秒以上であると判断された場合には（ステップＳ２０７：ＹＥＳ）、携帯電話機１は、動作モードをマナーモードから保護モードに変更して、前記モード記憶部１０８に動作モードを記憶させる（ステップＳ２０８）。
【００７６】
携帯電話機１は、動作モードを変更した後、報知処理を実行する（ステップＳ２０９）。この報知処理により、携帯電話機１を紛失してしまった場合であっても、遠隔操作により鳴動、点滅させることができるので、携帯電話機１の発見を助けることができる。
【００７７】
［２−２−１］  報知処理（ステップＳ２０９）について
上記呼び出し時間５秒以下の処理（ステップＳ２００）について、更に詳しく説明する。図４は、携帯電話機１が、その現在位置を報知するために実行する報知処理の流れを示すフローチャートである。
【００７８】
図４に示されるように、携帯電話機１は、報知処理（ステップＳ２０９）を開始すると、先ず最初に、前記スピーカ部１０３から発音する呼び出し音の音量を最小値に設定する（ステップＳ３００）。そして、携帯電話機１は、前記バイブレータ部１０５に指示してバイブレータを始動する（ステップＳ３０１）。
【００７９】
そして、携帯電話機１は、前記スピーカ部１０３にて、設定された音量で呼び出し音を鳴らし（ステップＳ３０２）、ＬＥＤ点灯部１０４にて、ＬＥＤを点灯する（ステップＳ３０３）。この呼び出し音は、継続して鳴らし続けられる。また、ＬＥＤも点灯され続ける。
【００８０】
その後、携帯電話機１は、呼び出し音の音量を設定してから所定の時間を経過したか否かを確認する。この確認の結果、呼び出し音の音量を設定してから所定の時間を経過したと判断された場合には（ステップＳ３０４：ＹＥＳ）、呼び出し音の音量が最大値に設定されているか否かを確認する。
【００８１】
当該確認により、呼び出し音の音量が最大値には設定されていないと判断された場合には（ステップＳ３０５：ＮＯ）、呼び出し音の音量が１段階大きくなるように音量の設定を行い（ステップＳ３０６）、ＬＥＤ点灯部１０４にてＬＥＤを消灯する（ステップＳ３０７）。
【００８２】
上述の確認によって、呼び出し音の音量を設定してから未だ所定の時間を経過していないと判断された場合には（ステップＳ３０４：ＮＯ）、携帯電話機１は、呼び出し音の音量の設定を変更することなく、ＬＥＤ点灯部１０４にてＬＥＤを消灯する（ステップＳ３０７）。
【００８３】
また、上述の確認により、呼び出し音の音量が最大値に設定されていると判断された場合にも（ステップＳ３０５：ＮＯ）、携帯電話機１は、呼び出し音の音量の設定はそのままにしておいて、ＬＥＤ点灯部１０４にてＬＥＤを消灯する（ステップＳ３０７）。
【００８４】
ＬＥＤを消灯した後、携帯電話機１は、保護モードが解除されたか否かを確認する。なお、保護モードの解除に係る携帯電話機１の処理ついては後述することとし、ここでは省く。
【００８５】
保護モードは未だ解除されていないと判定された場合には（ステップＳ３０８：ＮＯ）、携帯電話機１は、ステップＳ３０２に進んで、上述のような処理を繰り返す。
【００８６】
保護モードが解除されたと判定された場合には（ステップＳ３０８：ＹＥＳ）、携帯電話機１は、前記スピーカ部１０３にて呼び出し音を停止する（ステップＳ３０９）。そして、携帯電話機１は、前記バイブレータ部１０５にてバイブレータを停止した後（ステップＳ３１０）、動作モードを保護モードから通常モードへ遷移させると共に、これを前記モード記憶部１０９に記憶させて（ステップＳ３１１）、報知処理を終了する。
【００８７】
［２−３］  保護モードの解除について
上述のように、携帯電話機１は、保護モードが解除されると、ＬＥＤを消灯し、呼び出し音とバイブレータとを停止させて、通常モードに遷移する。この保護モードの解除に際して、携帯電話機１が実行する処理について説明する。
【００８８】
図５は、保護モードの解除に際して、携帯電話機１が実行する処理の流れを示すフローチャートである。図５に示されるように、携帯電話機１は、その動作モードが保護モードがである場合には、前記操作パネル部１０１にて、キー操作があったかどうか監視している。
【００８９】
そして、キー操作がなければ（ステップＳ４００：ＮＯ）、携帯電話機１は、引き続いて前記操作パネル部１０１にて、キー操作があったかどうか監視する。
【００９０】
前述の監視の結果、キー操作が有ったと判定された場合には（ステップＳ４００：ＹＥＳ）、携帯電話機１は、前記表示部１００にて、ユーザに暗証番号の入力を促す表示を行う（ステップＳ４０１）。そして、この表示に応じて、操作パネル部１０１にて、ユーザが暗証番号を入力したか否かを監視する。
【００９１】
そして、携帯電話機１のユーザが暗証番号を未だ入力していないと判定された場合には（ステップＳ４０２：ＮＯ）、携帯電話機１は、そのユーザに暗証番号の入力を促す表示を行ってからの経過時間を測時する。
【００９２】
そして、暗証番号の入力を促す表示を行ってからの経過時間が所定の時間を上回っていると判定された場合には（ステップＳ４０３：ＹＥＳ）、携帯電話機１は、暗証番号の入力を促す表示を消去して（ステップＳ４０４）、再びキー操作の有無を監視する。
【００９３】
暗証番号の入力を促す表示を行ってから未だ所定の時間を経過していないと判定された場合には（ステップＳ４０３：ＮＯ）、携帯電話機１は、そのユーザから暗証番号を受け付けたか否かの監視を継続して実行する。
【００９４】
前述の監視の結果、ユーザから暗証番号を受け付けたと判定された場合には（ステップＳ４０２：ＹＥＳ）、ユーザから受け付けた暗証番号と、携帯電話機１に予め登録されている暗証番号とを照合する（ステップＳ４０５）。
【００９５】
暗証番号の照合が失敗した場合には（ステップＳ４０６：ＮＯ）、携帯電話機１は、前記表示部１００にて、暗証番号の照合が失敗した旨を表示する（ステップＳ４０７）。そして、携帯電話機１は、再び、携帯電話機１のユーザに対して暗証番号の入力を促す表示を行い、上述のような処理を繰り返す。
【００９６】
前述の暗証番号の照合が成功した場合には（ステップＳ４０６：ＹＥＳ）、携帯電話機１は、その動作モードを保護モードから通常モードへと遷移させた後（ステップＳ４０８）、処理を終了する。
【００９７】
［３］  本実施の形態の効果
本実施の形態によれば、その動作モードをマナーモードに設定されている携帯電話機１を紛失した場合であっても、携帯電話機１に所定の方法に従って電話をかけることによって、携帯電話機１の動作モードをマナーモードから保護モードに遷移させるとともに、ＬＥＤを点滅させ、音量を増大させながら呼び出し音を鳴らし、更に、バイブレータを用いて携帯電話機１を振動させるので、紛失した携帯電話機１の発見を容易にすることができる。
【００９８】
また、本実施の形態によれば、特定の電話機のみから所定の方法に従って電話をかけることによって、動作モードの遷移等の処理を携帯電話機１に実行させるので、本来マナーモードが解除されるべきでないような場合に、不特定の電話機から電話がかかることによって、マナーモードが解除され、呼び出し音が鳴らされる等の処理が実行されるといった不都合を回避することができる。
【００９９】
また、本実施の形態によれば、上記と同じく、特定の電話機のみから所定の方法に従って電話をかけることによって、動作モードの遷移等の処理を携帯電話機１に実行させるので、その動作モードがマナーモードに設定されている携帯電話機１を紛失した場合に、従来よりも容易にマナーモードを解除して、呼び出し音が鳴らされる等の処理を実行させることができる。
【０１００】
また、本実施の形態によれば、特定の電話機のみから所定の方法に従って電話をかけることによって、携帯電話機１の動作モードがマナーモードに設定されているのを解除した後に、その動作モードを保護モードとするので、携帯電話機１の正当な利用者に先んじて当該正当な利用者以外の者が携帯電話機１を見つけた場合であっても、当該正当な利用者以外の者によって携帯電話機１が不正に利用されることを防止することができる。
【０１０１】
［４］  変形例
以上、本願発明を実施の形態に基づいて説明してきたが、本願発明が上述の実施の形態に限定されないのは勿論であり、以下のような変形例を実施することができる。
【０１０２】
（１）  上記実施の形態においては、遠隔操作によってマナーモードを解除すると、携帯電話機１の動作モードが保護モードに遷移する場合を例にとって本願発明に係る携帯電話機等の説明を行ったが、本願発明がこれに限定されないのは言うまでもなく、上記に代えて次のようにするとしても良い。
【０１０３】
すなわち、遠隔操作によってマナーモードを解除された場合に、携帯電話機の動作モードを保護モードとせずに、通常モードに遷移するとしても良い。このようにすれば、マナーモードが解除されるべきでない場合にはより解除され難く、マナーモードを解除したい場合にはより解除し易いという本願発明の目的を達成しながら、かつ、紛失した携帯電話機を発見した場合に、暗証番号を入力するといった手間を要することなく、当該携帯電話機を使用することができる。
【０１０４】
（２）  上記実施の形態においては、遠隔操作によってマナーモードを解除して、携帯電話機の動作モードを保護モードとするとともに、ＬＥＤを点滅させ、呼び出し音を発生させ、バイブレータを振動させるとしたが、これに代えて次のようにしても良い。
【０１０５】
すなわち、遠隔操作によってマナーモードを解除する場合には、携帯電話機の動作モードを保護モードとするだけに留めて、ＬＥＤの点滅、呼び出し音の発生、およびバイブレータの振動は行わないものとしても良い。
【０１０６】
一旦、携帯電話機のマナーモードを解除した後は、いずれの電話番号の電話機から当該携帯電話機に電話をかけても、呼び出し音の発生やＬＥＤの点滅、或いはバイブレータの振動が行われる。従って、マナーモードを解除する際に、併せて、これらの動作を行わないとしても、上述と同様に、本願発明の効果を得ることができる。
【０１０７】
（３）  上記実施の形態においては、所定の電話番号の電話機から電話をかけることによって、携帯電話機のマナーモードを解除するとしたが、この電話機は通常の電話機であっても良いし、携帯電話機であっても良い。
【０１０８】
また、電話機以外の装置によってマナーモードを解除するとしても良い。すなわち、赤外線通信やＢｌｕｅｔｏｏｔｈ（登録商標）などの無線通信技術を用いてマナーモードを解除するとしても良い。この場合において、マナーモードを解除した後、携帯電話機の動作モードを保護モードとしても良いし、通常モードとしても良い。
【０１０９】
また、マナーモードを解除した後、ＬＥＤを点滅させたり、呼び出し音を発生させたり、或いは、バイブレータを振動させるとしても良いし、これらの処理を行うことなく、携帯電話機の動作モードを保護モードとするだけでも良い。
【０１１０】
（４）    上記実施の形態においては、所定の電話番号の電話機から電話をかけることによって、携帯電話機のマナーモードを解除するとし、マナーモードを解除した後、動作モードを保護モードとしたり、或いは、ＬＥＤの点滅などの処理を実行するとしたが、ただ単に、マナーモードを解除して、携帯電話機の動作モードを通常モードとするとしても良い。
【０１１１】
このようにしても、マナーモードを解除した後に、他の電話機から当該携帯電話機に電話をかけることによって、当該携帯電話機のＬＥＤを点滅させたり、呼び出し音を発生させたりして、紛失した携帯電話機の発見を助けることができる。
【０１１２】
また、この場合においても、携帯電話機の利用者の意図に反して、本来携帯電話機がマナーモードであるべきであるような場合にマナーモードが解除されたり、紛失した携帯電話機のマナーモードの解除に手間取ったりすることを防止することができる。
【０１１３】
（５）  上記実施の形態においては、携帯電話機の動作モードが保護モードとなっている場合に、暗証番号を入力することによって保護モードを解除するとしたが、これに代えて、暗証番号を照合する方法以外の方法を用いて保護モードを解除するとしても良い。
【０１１４】
例えば、バイオメトリクス技術を用いて、指紋や声紋、虹彩パターン等のバイオメトリクス・データによって本人認証を行うものとして、本人認証が成功したら保護モードを解除するとしても良い。保護モードの解除のし方の如何に関わらず本願発明の効果を得ることができる。
【０１１５】
（６）  上記実施の形態においては、所定の電話番号から、呼び出し時間が５秒以内である着呼が続けて５回あった後に、当該電話番号から呼び出し時間が２５秒以上である着呼が１回あった場合にマナーモードを解除する例について説明したが、本願発明がこれに限定されないのは言うまでもなく、異なる着呼パターンにてマナーモードを解除することとしても良い。
【０１１６】
また、マナーモードを解除するための着呼パターンは、発呼した電話番号ごとに異なっているとしても良い。
【０１１７】
また、本願発明においては、どのような着呼パターンであれ、呼び出し時間が異なる着呼が複数含まれていれば、なお好適である。前述の従来技術においては、呼び出し時間を同じくする着呼の回数に応じてマナーモードを解除するとしていた。
【０１１８】
このために、当該従来技術において呼び出し時間を短くすると、携帯電話機が本来マナーモードであるべき場合にも関わらずマナーモードを解除されてしまう可能性が高くなるという不都合を生じる。
【０１１９】
また、当該従来技術において、呼び出し時間を長くすると、マナーモードが不必要に解除されてしまう可能性を低減することはできるのだが、携帯電話機のマナーモードを解除するための手間が過大となって、紛失した携帯電話機の発見が煩わしいものとなってしまう。
【０１２０】
これに対して、本願発明のように、呼び出し時間が異なる着呼を複数含んでいる着呼パターンによってマナーモードを解除するとすれば、マナーモードが不必要に解除されてしまう可能性を低減し、かつ、必要時にマナーモードを解除するための手間をも低減することができる。
【０１２１】
（７）  上記実施の形態においては、本願発明を説明するに際して、もっぱら携帯電話機を例とする場合を取り上げたが、本願発明がこれに限定されないのは言うまでもなく、本願発明は、携帯電話機が実行するマナーモード解除方法であるとしても良いし、また、当該マナーモードを携帯電話機に実行させるマナーモード解除プログラムであるとしても良い。
【０１２２】
更に、本願発明は、当該マナーモード解除プログラムを格納した記録媒体であって、コンピュータにて読取可能な記録媒体であるとしても良い。いずれの場合においても、本願発明を実施することによって、上述のような効果を奏することができる。
【産業上の利用可能性】
【０１２３】
本願発明に係る携帯電話機、マナーモード解除方法、および、マナーモード解除プログラムは、紛失した携帯電話機を発見し易くするための技術として有用であり、特に、マナーモードに設定されている携帯電話機がその利用者の意図に反してマナーモードを解除されるのを防止する場合に、かつ、マナーモードに設定されている携帯電話機を紛失して、これを発見するために携帯電話機を鳴動等させるために行う遠隔操作をより簡便なものとする場合に有効である。
【図面の簡単な説明】
【０１２４】
【図１】本願発明の実施の形態に係る携帯電話機の機能構成を示す模式図であって、特に、マナーモードの設定と解除とに関連する部分に注目したものである。
【図２】本願発明の実施の形態に係る携帯電話機が、電話番号の設定を受け付ける際に実行する処理の流れを示すフローチャートである。
【図３】本願発明の実施の形態に係る携帯電話機が、遠隔操作によってマナーモードを解除される際に実行する処理の流れを示すフローチャートである。
【図４】本願発明の実施の形態に係る携帯電話機１が、その現在位置を報知するために実行する報知処理の流れを示すフローチャートである。
【図５】本願発明の実施の形態に係る携帯電話機１が、保護モードの解除に際して実行する処理の流れを示すフローチャートである。
【符号の説明】
【０１２５】
１………携帯電話機
１００…表示部
１０１…操作パネル部
１０２…電話番号記憶部
１０３…スピーカ部
１０４…ＬＥＤ点灯部
１０５…バイブレータ部
１０６…発呼番号特定部
１０７…呼び出し時間計時部
１０８…呼び出し回数記憶部
１０９…モード記憶部
１１０…モード制御部
【図１】
2005033590.tif 000003
【図２】
2005033590.tif 000004
【図３】
2005033590.tif 000005
【図４】
2005033590.tif 000006
【図５】
2005033590.tif 000007